(57)【要約】【課題】本発明は、作動する際に、電源に異常が起きて、不安定になることを防止することができる電子装置を提供することを目的とする。【解決手段】本発明の電子装置は、第一電源モジュール、主制御器及び電圧変換モジュールを備える。第一電源モジュールは、第一電圧を提供し、第一部材は、第二電圧を通信インタフェースに出力し、主制御器は、第一シリアルクロック情報及び第一シリアルデータ情報を出力し、電圧変換モジュールは、第一電圧及び第二電圧によって第一シリアルクロック情報と第一シリアルデータ情報と、をそれぞれ第二シリアルクロック情報と第二シリアルデータ情報と、に変換して第一部材に出力し、検測モジュールは、第一電圧及び第二電圧を検測し、且つ第一電圧が第二電圧より大きい場合、第三電圧を出力し、電圧変換モジュールは、第一電圧及び第二電圧によって作動し、第三電圧は、第一電圧より大きい。【選択図】図１
2014146329.tif 000002
【特許請求の範囲】
【請求項１】
Ｉ２Ｃによって、通信インタフェースが、第一部材と通信し、
第一電源モジュール、主制御器及び電圧変換モジュールを備え、
前記第一電源モジュールは、第一電圧を提供し、
前記第一部材は、第二電圧を前記通信インタフェースに出力し、
前記主制御器は、第一シリアルクロック情報及び第一シリアルデータ情報を出力し、
前記電圧変換モジュールは、前記第一電圧及び前記第二電圧によって、前記第一シリアルクロック情報と前記第一シリアルデータ情報と、をそれぞれ第二シリアルクロック情報と第二シリアルデータ情報と、に変換し、且つ前記通信インタフェースによって、前記第一部材に出力する電子装置において、
前記電子装置は、更に検測モジュールを備え、前記検測モジュールは、前記第一電圧及び前記第二電圧を検測し、且つ前記第一電圧が前記第二電圧より大きい場合、第三電圧を出力し、前記電圧変換モジュールは、前記第一電圧及び前記第二電圧によって作動され、前記第三電圧は、前記第一電圧より大きいことを特徴とする電子装置。
【請求項２】
前記第一電圧が前記第二電圧より小さい場合、前記第三電圧の出力を停止することを特徴とする請求項１に記載の電子装置。
【請求項３】
前記第一シリアルクロック情報と、前記第一シリアルデータ情報と、前記第二シリアルクロック情報と、前記第二シリアルデータ情報と、はそれぞれ高レベル電圧と低レベル電圧との組み合わせによって形成された順次デジタル信号であることを特徴とする請求項１に記載の電子装置。
【請求項４】
前記電圧変換モジュールは、前記第一シリアルクロック情報の高レベル電圧を低レベル電圧に変換或いは低レベル電圧を高レベル電圧に変換し、同時に、前記第一シリアルデータ情報の高レベル電圧を低レベル電圧に変換或いは低レベル電圧を高レベル電圧に変換することを特徴とする請求項３に記載の電子装置。
【請求項５】
前記主制御器は、第一シリアルクロックライン及び第一シリアルデータラインを備え、前記電圧変換モジュールは、第一トランジスタ、第二トランジスタ、第一プルアップ抵抗及び第二プルアップ抵抗を備え、前記第一トランジスタのドレイン電極は、前記通信インタフェースを介して前記第一部材と電気的に接続され、前記第一プルアップ抵抗の一端は、前記第一トランジスタのゲート電極と電気的に接続され、別の一端は、前記第一トランジスタのソース電極と電気的に接続され、前記第二トランジスタのゲート電極は、前記第一電圧源と電気的に接続され、前記第二トランジスタのソース電極は、前記第一シリアルデータラインと電気的に接続され、前記第二トランジスタのドレイン電極は、前記通信インタフェースを介して前記第一部材と電気的に接続され、前記第二プルアップ抵抗の一端は、前記第二トランジスタのゲート電極と電気的に接続され、別の一端は、前記第二トランジスタのソース電極と電気的に接続されることを特徴とする請求項１に記載の電子装置。
【請求項６】
前記第一トランジスタ及び前記第二トランジスタは、それぞれＮ型ＭＯＳＦＥＴであることを特徴とする請求項５に記載の電子装置。
【請求項７】
前記検測モジュールは、検測ユニットを備え、前記検測ユニットは、第一検測ピン、第二検測ピン、第三検測ピン、第四検測ピン及び制御ピンを備え、前記第一検測ピンは、前記第一トランジスタのソース電極と電気的に接続され、前記第二検測ピンは、前記第二トランジスタのソース電極と電気的に接続され、前記第三検測ピンは、前記第一トランジスタのドレイン電極と電気的に接続され、前記第四検測ピンは、前記第二トランジスタのドレイン電極と電気的に接続され、前記制御ピンは、第三プルアップ抵抗の一端及び第四プルアップ抵抗の一端と電気的に接続され、前記第三プルアップ抵抗の別の一端は、前記第一トランジスタのドレイン電極と電気的に接続され、前記第四プルアップ抵抗の別の一端は、前記第二トランジスタのドレイン電極と電気的に接続されることを特徴とする請求項５に記載の電子装置。
【請求項８】
前記電子装置は、更に前記電圧変換モジュールと電気的に接続された抵抗を備え、前記抵抗は、受信した前記第二シリアルクロック情報及び前記第二シリアルデータ情報によって、対応する操作を行うことを特徴とする請求項１に記載の電子装置。
【発明の詳細な説明】
【技術分野】
【０００１】
本発明は、電子装置に関し、特にＩ２Ｃ（Ｉｎｔｅｒ−Ｉｎｔｅｇｒａｔｅｄ  Ｃｉｒｃｕｉｔ）によって通信する電子装置に関するものである。
【背景技術】
【０００２】
Ｉ２Ｃは、多くの電子装置に応用されおり、マイクロコントローラ及び外部の装置に接続することに用いられる。Ｉ２Ｃを備える電子装置は、主制御器及びマイクロコントローラを備える。主制御器は、第一シリアルクロックライン（Ｓｅｒｉａｌ  Ｃｌｏｃｋ  Ｌｉｎｅ）及び第一シリアルデータライン（Ｓｅｒｉａｌ  Ｄａｔｅ  Ｌｉｎｅ、ＳＤＡ１）を備える。外部の装置は、電子装置と電気的に接続されている副制御器を備え、この副制御器は、第一シリアルクロックラインと電気的に接続された第二シリアルクロックライン及び第一シリアルデータラインと接続された第二シリアルデータラインを備える。データを転送する過程において、主制御器は、作動信号が生成された後、データの転送を行い、且つ停止信号が生成された後、データの転送を停止する。この際、作動信号において、第一シリアルクロックラインは高レベル電圧であり、且つ第一シリアルデータラインが高レベル電圧から低レベル電圧に変換され、停止信号において、第一シリアルクロックラインは高レベル電圧であり、且つ第一シリアルデータラインが低レベル電圧から高レベル電圧に変換される。また、データを転送する過程において、第一シリアルクロックラインが高レベル電圧である場合、第一シリアルデータラインのデータは、定数であり、第一シリアルクロックラインが低レベル電圧である場合、第一シリアルデータラインのデータは、変更される。主制御器と副制御器とは、相互に独立している第一給電電源及び第二給電電源をそれぞれ備え、第一給電電源と第二給電電源とは、第一シリアルデータラインと第二シリアルデータラインとにそれぞれ電気的に接続される。しかし、副制御器の給電電圧が小さい場合、第一シリアルデータライン及び第二シリアルデータラインは低レベル電圧に固定されるため、主制御器が作動信号或いは停止信号を生成できないので、電子装置は正常に作動できない。
【発明の概要】
【発明が解決しようとする課題】
【０００３】
以上の問題点に鑑みて、本発明は、作動する際に、電源に異常が起きて、不安定になることを防止することができる電子装置を提供することを目的とする。
【課題を解決するための手段】
【０００４】
上記の課題を解決するために、本発明の電子装置は、Ｉ２Ｃによって、通信インタフェースが、第一部材と通信し、第一電源モジュール、主制御器及び電圧変換モジュールを備える。前記第一電源モジュールは、第一電圧を提供し、前記第一部材は、第二電圧を前記通信インタフェースに出力し、前記主制御器は、第一シリアルクロック情報及び第一シリアルデータ情報を出力し、前記電圧変換モジュールは、前記第一電圧及び前記第二電圧によって、前記第一シリアルクロック情報と前記第一シリアルデータ情報と、をそれぞれ第二シリアルクロック情報と第二シリアルデータ情報と、に変換し、且つ前記通信インタフェースによって、前記第一部材に出力し、前記電子装置は、更に検測モジュールを備え、前記検測モジュールは、前記第一電圧及び前記第二電圧を検測し、且つ前記第一電圧が前記第二電圧より大きい場合、第三電圧を出力し、前記電圧変換モジュールは、前記第一電圧と前記第二電圧によって作動され、前記第三電圧は、前記第一電圧より大きい。
【発明の効果】
【０００５】
本発明の電子装置は、第一電圧及び電子装置に電気的に接続された他の装置の第二電圧を検測し、第一電圧が第二電圧より大きい場合、電子装置は、第三電圧を出力し、電子装置は、第一電圧と第三電圧によって正常に作動する。これにより、第二電圧が低い場合でも、電子装置が正常に作動しないことを防止し、且つ電子装置の作動の安定性を確保することができる。
【図面の簡単な説明】
【０００６】
【図１】本発明に係る電子装置の機能モジュールの構造を示すである。
【図２】図１に示した電子装置の回路図である。
【発明を実施するための形態】
【０００７】
以下、図１に基づいて、本発明の電子装置について詳細に説明する。電子装置１０は、Ｉ２Ｃ（図示せず）及び第一部材２０と通信する。電子装置１０と第一部材２０の駆動電圧は、それぞれ第一電圧と第二電圧である。本実施形態において、第一部材２０は、電子装置１０に設置された外部部材であり、例えば、ＤＶＤディスプレイである。他の実施形態において、第一部材２０は、電子装置１０の内部に設置された部材であり、例えば、データ記憶部材である。
【０００８】
電子装置１０は、第一電源モジュール１１、主制御器１３、電圧変換モジュール１５、検測モジュール１７及び抵抗１９を備える。
【０００９】
第一電源モジュール１１は、第一電圧を提供する。本実施形態において、第一電圧は３．３Ｖである。
【００１０】
主制御器１３は、ユーザの操作によって、第一シリアルクロック情報と、第一シリアルデータ情報を出力する。この際、第一シリアルクロック情報と第一シリアルデータ情報とは、それぞれ高レベル電圧と低レベル電圧との組み合わせによって形成された順次デジタル信号である。
【００１１】
第一電圧が第二電圧より小さい場合、電圧変換モジュール１５は、第一シリアルクロック情報及び第一シリアルデータ情報を、それぞれ第二シリアルクロック情報及び第二シリアルデータ情報に変換させ、第二シリアルクロック情報及び第二シリアルデータ情報を抵抗１９に送信し、且つ通信インタフェースを介して、第一部材２０に送信する。第一電圧が第二電圧より大きい場合、電圧変換モジュール１５は、第一シリアルクロック情報及び第一シリアルデータ情報が、第二シリアルクロック情報及び第二シリアルデータ情報に変換されることを停止し、且つ抵抗１９に送信し、通信インタフェースを介して、第一部材２０に送信する。第二シリアルクロック情報と第二シリアルデータ情報とは、それぞれ高レベル電圧と低レベル電圧との組み合わせによって形成された順次デジタル信号である。この際、電圧変換モジュール１５は、第一シリアルクロック情報内の高レベル電圧を低レベル電圧に変換或いは低レベル電圧を高レベル電圧に変換させて、第二シリアルクロック情報に変換させ、第一シリアルデータ情報内の高レベル電圧を低レベル電圧に変換或いは低レベル電圧を高レベル電圧に変換させて、第二シリアルデータ情報に変換させる。
【００１２】
検測モジュール１７は、第一電圧及び第二電圧を検測し、且つ第一電圧と第二電圧を比較する。第一電圧が第二電圧より大きい場合、検測モジュール１７は、第三電圧を出力し、第一電圧が第二電圧より小さい場合、検測モジュール１７は、第三電圧の出力を停止する。第三電圧は、第一電圧より大きい。本実施形態において、第三電圧は５Ｖである。
【００１３】
電圧変換モジュール１５は、第一電圧及び第二電圧によって、第一シリアルクロック情報及び第一シリアルデータ情報を、第二シリアルクロック情報と第二シリアルデータ情報とにそれぞれ変換し、第二シリアルクロック情報及び第二シリアルデータ情報を抵抗１９に送信し、且つ通信インタフェースを介して、第一部材２０に送信する。
【００１４】
抵抗１９は、受信された第二シリアルクロック情報及び第二シリアルデータ情報によって、対応する操作を行う。本実施形態において、抵抗１９は、受信された第二シリアルクロック情報及び第二シリアルデータ情報によって、データの読み取り或いはデータの入力操作を行う。
【００１５】
第一部材２０は、第二電源モジュール２１及び副制御器２３を備える。
【００１６】
第二電源モジュール２１は、第二電圧を提供する。本実施形態において、第二電圧は５Ｖである。
【００１７】
副制御器２３は、受信した第二シリアルクロック情報及び第二シリアルデータ情報によって、対応する操作を行う。
【００１８】
図２に示したように、第一電圧モジュール１１は、第一電圧源Ｖ１を備える。第一電圧源Ｖ１は、電圧変換モジュール１５と検測モジュール１７とに電気的に接続される。
【００１９】
主制御器１３は、第一シリアルクロックラインＳＣＬ１及び第一シリアルデータラインＳＤＡ１を備える。
【００２０】
電圧変換モジュール１５は、第一トランジスタＴ１、第二トランジスタＴ２、第一プルアップ抵抗Ｒ１及び第二プルアップ抵抗Ｒ２を備える。第一トランジスタＴ１は、第一電圧源Ｖ１と電気的に接続され、第一トランジスタＴ１のソース電極は、第一シリアルクロックラインＳＣＬ１と電気的に接続され、第一トランジスタＴ１のドレイン電極は、抵抗１９及び通信インタフェースを介して第一部材２０と電気的に接続される。第一プルアップ抵抗Ｒ１の一端は、第一トランジスタＴ１のゲート電極と電気的に接続され、別の一端は、第一トランジスタＴ１のソース電極と電気的に接続される。第二トランジスタＴ２のゲート電極は、第一電圧源Ｖ１と電気的に接続され、第二トランジスタＴ２のソース電極は、第一シリアルデータラインＳＤＡ１と電気的に接続され、第二トランジスタＴ２のドレイン電極は、抵抗１９と電気的に接続され、通信インタフェースを介して第一部材２０と電気的に接続される。第二プルアップ抵抗Ｒ２の一端は、第二トランジスタＴ２のゲート電極と電気的に接続され、別の一端は、第二トランジスタＴ２のソース電極と電気的に接続される。本実施形態において、第一トランジスタＴ１及び第二トランジスタＴ２は、それぞれＮ型ＭＯＳＦＥＴである。
【００２１】
検測モジュール１７は、検測ユニット１７２、第三プルアップ抵抗Ｒ３及び第四プルアップ抵抗Ｒ４を備える。検測ユニット１７２は、第一検測ピンＰ1、第二検測ピンＰ２、第三検測ピンＰ３、第四検測ピンＰ４及び制御ピンＣ１を備える。第一検測ピンＰ１は、第一トランジスタＴ１のソース電極と電気的に接続され、第二検測ピンＰ２は、第二トランジスタＴ２のソース電極と電気的に接続され、第三検測ピンＰ３は、第一トランジスタＴ１のドレイン電極と電気的に接続され、第四検測ピンＰ４は、第二トランジスタＴ２のドレイン電極と電気的に接続される。制御ピンＣ１は、第三プルアップ抵抗Ｒ３の一端及び第四プルアップ抵抗Ｒ４の一端と電気的に接続される。第三プルアップ抵抗Ｒ３の別の一端は、抵抗１９及び通信インタフェースと電気的に接続される。第四プルアップ抵抗Ｒ４の別の一端は、抵抗１９及び通信インタフェースと電気的に接続される。
【００２２】
抵抗１９は、第二シリアルクロックラインＳＣＬ２及び第二シリアルデータラインＳＤＡ２を備える。第二シリアルクロックラインＳＣＬ２は、第一トランジスタＴ１のドレイン電極と電気的に接続される。第二シリアルデータラインＳＤＡ２は、第二トランジスタＴ２のドレイン電極と電気的に接続される。本実施形態において、抵抗１９は、マイクロコントローラである。
【００２３】
第二電源モジュール２１は、第二電圧源Ｖ２、第五プルアップ抵抗Ｒ５及び第六プルアップ抵抗Ｒ６を備える。第五プルアップ抵抗Ｒ５及び第六プルアップ抵抗Ｒ６は、第二電圧源Ｖ２と副制御器２３との間に並列接続されている。本実施形態において、第二電圧は、５Ｖである。
【００２４】
副制御器２３は、第三シリアルクロックラインＳＣＬ３及び第三シリアルデータラインＳＤＡ３を備える。第三シリアルクロックラインＳＣＬ３は、第一トランジスタＴ１のドレイン電極と電気的に接続される。第三シリアルデータラインＳＤＡ３は、第二トランジスタＴ２のドレイン電極と電気的に接続される。
【００２５】
電子装置１０は、第一部材２０と電気的に接続され、且つ第一電圧が第二電圧より小さい場合、第一シリアルクロックラインＳＣＬ１は、第一シリアルクロック情報を出力し、第一シリアルデータラインＳＤＡ１は、第一シリアルデータ情報を出力する。第一トランジスタＴ１は、第一電圧及び第二電圧によって、第一シリアルクロック情報を第二シリアルクロック情報に変換し、第二トランジスタＴ２は、第一シリアルデータ情報を第二シリアルデータ情報に変換する。検測モジュール１７は、第一検測ピンＰ１及び第二検測ピンＰ２によって、第一電圧を検測し、第三検測ピンＰ３及び第四検測ピンＰ４によって、第二電圧を検測する。第一電圧が第二電圧より大きい場合、制御ピンＣ１は、第三電圧を出力する。第一トランジスタＴ１は、第一電圧及び第二電圧によって、第一シリアルクロック情報を第二シリアルクロック情報に変換させ、第一電圧及び第三電圧によって、第一シリアルデータ情報を第二シリアルデータ情報に変換させ、第二シリアルクロック情報及び第二シリアルデータ情報を、抵抗１９に出力し、且つ通信インタフェースを介して第一部材２０に出力する。
【符号の説明】
【００２６】
１０  電子装置
１１  第一電源モジュール
１３  主制御器
１５  電圧変換モジュール
１７  検測モジュール
１７２  検測ユニット
１９  抵抗
２０  第一部材
２１  第二電源モジュール
２３  副制御器
Ｖ１  第一電圧源
Ｖ２  第二電圧源
Ｒ１  第一プルアップ抵抗
Ｒ２  第二プルアップ抵抗
Ｒ３  第三プルアップ抵抗
Ｒ４  第四プルアップ抵抗
Ｒ５  第五プルアップ抵抗
Ｒ６  第六プルアップ抵抗
Ｐ１  第一検測ピン
Ｐ２  第二検測ピン
Ｐ３  第三検測ピン
Ｐ４  第四検測ピン
Ｔ１  第一トランジスタ
Ｔ２  第二トランジスタ
Ｃ１  制御ピン
ＳＣＬ１  第一シリアルクロックライン
ＳＤＡ１  第一シリアルデータライン
ＳＣＬ２  第二シリアルクロックライン
ＳＤＡ２  第二シリアルデータライン
ＳＣＬ３  第三シリアルクロックライン
ＳＤＡ３  第三シリアルデータライン
【図１】
2014146329.tif 000003
【図２】
2014146329.tif 000004